(57)【要約】【課題】絵、文字などからなる１つの意匠の中に、突如として絵、文字などからなる他の意匠が重ねて表示される意外性の高い看板装置を提供する。【解決手段】本発明に係る看板装置は、表面に、絵、文字などからなる意匠５を不透明に表示した多孔シート２の裏面に、絵、文字などからなる意匠６を透明に表示した透明シート３を重ね、該透明性シート３の裏面側に発光手段４を配置し、平時には多孔シート２の表裏の明るさの差により表側の意匠５のみが強調されて見え、多孔の孔２′を透しては裏面の意匠６は見えないが、前記発光手段４の発光時には多孔シート２の表側の意匠５の中に、多孔の孔２′を透して透明シート３に透明表示された裏面の意匠６が現れるように構成した。【選択図】      図１
2005043525.tif 000002
【特許請求の範囲】
【請求項１】
表面に、絵、文字などからなる意匠を不透明に表示した多孔シートの裏面に、絵、文字などからなる意匠を透明に表示した透明シートを重ね、該透明シートの裏面側に発光手段を配置したことを特徴とする看板装置。
【請求項２】
前記多孔シートが、裏面を黒色に着色したものであることを特徴とする請求項１に記載の看板装置。
【発明の詳細な説明】
【０００１】
【発明の属する技術分野】
本発明は、平時には絵（写真も含む）、文字などからなる１つの意匠が認識され、発光手段の発光時には平時の意匠中に、絵、文字などからなる他の意匠が重ねて表示されるようにした看板装置に関するものである。
【０００２】
【従来の技術】
従来の看板装置は、絵、文字などからなる１つの意匠で構成されていた。この１つの意匠を如何にアピール性の高いものにするかについてデザイナーは、絵・文字などの選択、配置、配色などに日夜腐心している。また、看板装置には、近年、デジタル画像を利用したもの、映像を利用したものも出現している。これらデジタル画像や映像は動画を用いることによりアピール性の高いものが自在に表現できる利点がある
【０００３】
【発明が解決しようとする課題】
しかしながら、絵、文字などからなる１つの意匠では、これを如何に工夫しても、例えば、同じ店が昼の時間帯には喫茶室になり、夜の時間帯には飲酒室に変身するような場合において同じ看板でそれぞれのイメージを譲出させたり、何れの時間帯にも高いアピール性を与えるようにすることには限界があった。また、デジタル画像や映像によれば、このような場合でも高いアピール性を与えるようにすることは可能であるが、制作費や設備費が嵩むという問題があった。
【０００４】
本発明は、上記のような問題を解決するためのもので、その目的とするところは、絵、文字などからなる１つの意匠の中に、突如として絵、文字などからなる他の意匠が重ねて表示される意外性の高い看板装置を提供することにある。
【０００５】
【課題を解決するための手段】
上記目的を達成するため、本発明に係る看板装置は、表面に絵、文字などからなる意匠を不透明に表示した多孔シートの裏面に、絵、文字などからなる意匠を透明に表示した透明シートを重ね、該透明性シートの裏面側に発光手段を配置したことを特徴とし、平時には多孔シートの表裏の明るさの差により表側の意匠のみが強調され、多孔の「孔」を透しては裏面の意匠は見えないが、前記発光手段の発光時には多孔シートの表側の意匠の中に、多孔の「孔」を透して透明シートに透明表示された裏面の意匠が現れるように構成した。
【０００６】
また、請求項２に記載の発明に係る看板装置は、前記多孔シートが裏面を黒色（濃灰色も含む）に着色したものであることを特徴とし、前記発光手段の発光時に、多孔の「孔」を透して現出する意匠の反射が抑えられ、より鮮明度の高い現出意匠が得られるように構成した。
【０００７】
【発明の実施の態様】
次に、本発明の実施の態様を図１〜図５に基づいて説明する。図１は本願装置の一部切欠斜視図、図２は多孔シート、透明シート及び発光手段の重なり状態を略示的に表した分解斜視図、図３は多孔シート、透明シート及び発光手段の重なり状態を示す部分拡大断面図、図４は表面の意匠のみが見えている多孔シートの部分拡大正面図、図５は表面の意匠の中に多孔の孔から裏側の意匠も見えている多孔シートの部分拡大正面図である。
【０００８】
本願看板装置１は、図１の如く、前面が透視窓Ａになっている外枠Ｂに、前面側から多孔シート２と、透明シート３と、発光手段４とを順に備える。多孔シート２は厚さ２００μあるいはそれ以下のシート材に直径が１〜２．５ｍｍ（好ましくは直径２ｍｍ）の透孔（例えば円孔）２′を一定間隔をあけて規則的に密に配してなる、いわゆるスルーフィルムであって、その表面（透孔と透孔の間）に、絵（写真を含む）、文字などからなる意匠（図示の例では親どりの絵）５がオフセット印刷、グラビア印刷などの印刷手段あるいはその他の手段により不透明に表示されている。
【０００９】
前記意匠５は細かく見れば、無数の孔（虫食い状）が抜けた絵や文字になっているが、全体的には絵や文字は表現できている。ここに「不透明」に表示するとは、インク自体に不透明なものがあればそれを利用しても良いが、実施例では多孔シート２の表面を予め白色に着色し、その白色の上から前記意匠５を施すことによって不透明にしている。この多孔シート２の裏面は黒色（濃灰色も含む）に着色（黒色の多孔フィルムを貼り合わせることもある）されていることが好ましい。勿論、多孔シート２の裏面の着色に濃有彩色を用いることを排除する趣旨ではない。
【００１０】
前記透明シート３は写真フィルムの支持体を利用してもよい。該透明シート３には、絵、文字などからなる意匠（図示の例ではひよこの絵）６が透明に表示されている。ここに「透明に表示」するとは、光が透過すればよく、シート素材自体は透明、半透明あるいは着色透明であってもよい。
【００１１】
前記透明シート３は、前記多孔シート２の裏面に重ねられている。この場合、透明シート３に表示する絵、文字などからなる意匠６は、前記多孔シート２の表面に不透明に表示した絵、文字などからなる意匠５をも含めて透明に表示していてもよい。多孔シート２と透明シート３の共通部分同士は重なるため互いに干渉しないからである。
【００１２】
前記発光手段４はバックライトとして機能させるためのもので、電球又は蛍光灯などの発光体を利用してもよいが、全厚を薄く仕上げるため、図示の如く、シート状の発光体、例えば、ＥＬシート（Ｅｌｅｃｔｒｏ  Ｌｕｍｉｎｅｓｃｅｎｃｅ）として市販されているものをそのまま利用して満足できる。このＥＬシートは発熱を伴わないで発光するもの（冷光）であり、通電により盤面全体が均等に輝光（発光）する。この発光手段４は前記透明シート３の裏面に密着するように重ねられている。
【００１３】
しかして、前記発光手段４が非発光状態（平時）にあるときは、図４の如く、多孔シート２の表裏の明るさに差があるため、多孔シート２の表面に不透明に表示した意匠（親どりの絵）５のみが強調されて見え、多孔の孔２′を透して裏面の意匠（透明シート３に透明に表示したひよこの絵）６は全く見えない。
【００１４】
一方、前記発光手段４を発光させた時には、透明シートの裏面側が明るくなる（バックライト点灯）ため、図５の如く、多孔の孔２′を透して裏面の意匠（透明シート３に透明に表示したひよこの絵）６が見えるようになる。換言すれば、多孔シート２の表面の意匠（親どりの絵）５の中に、多孔の孔２′を透して透明シート３に透明表示された意匠（ひよこの絵）６が現れるようになる。この場合において、前述の如く、多孔シート２の裏面を黒色に着色しておくと、多孔の孔２′を透して多孔シート２の表面に現出する透明シート３の意匠６の反射が抑えられることから、該意匠６はより鮮明度が高くシャープになることが実験により確認されている。
【００１５】
また、前記発光手段４の発光起動は、人手による操作で行ってもよいし、２４時間タイマーにより制御してもよいし、人感センサー７を利用して制御してもよい。人感センサー７を利用したときは、１つの意匠５の中にアピールしたい他の意匠６を浮かび上がらせるという意外性が、看板の前に人が立つか通過することにより達成されるので、看板の性質や設置場所などによっては極めて面白い効果を発揮させることができる。
【００１６】
【実施例】
今、２ｍｍの円孔を１ｍｍ間隔で一面に配した２００μ厚の縦１０００ｍｍ、横１５００ｍｍの多孔シート２の表面に、「エメラルドブルーの海と緑の島とスカイブルーの空」の絵をペイントし、その裏面に「エメラルドブルーの海に浮かぶ観光船と緑の島とスカイブルーの空」の絵を透明に表示した同大の透明シート３を重ね、該透明シート３の裏面に、同大のＥＬシート（発光手段４）を配置して前面が透視窓Ａになっている外枠Ｂに収容し、ＥＬシートをスイッチ手段を介して電源に接続した。
【００１７】
上記条件下で、昼間（自然光）の時間帯においては多孔シート２の表面の「エメラルドブルーの海と緑の島とスカイブルーの空」の絵のみが見えている状態であったが、ＥＬシートを発光させると、多孔シート２の表面の絵の中に、エメラルドブルーの海に観光船が浮かんだ。また、夜間（多孔シートの表面側から当てた照明光）の時間帯においても同様に、多孔シート２の表面の「エメラルドブルーの海と緑の島とスカイブルーの空」の絵のみが見え、ＥＬシートを発光させたときは、同様にエメラルドブルーの海に観光船が浮かんだ。
【００１８】
上記の結果、例えば、昼の時間帯には喫茶室、夜の時間帯には飲酒室に変身する店の１つの看板で喫茶室と飲酒室のイメージを譲出させ得ること、例えば、昼時の看板ではコーヒーなどを喫している絵があり、夜時の看板ではコーヒーなどを喫している絵の中に、ワインを楽しんでいる絵が合成されるように制作できることが確認できた。
【００１９】
【発明の効果】
以上の如く、本発明に係る看板装置は、表面に、絵、文字などからなる意匠を不透明に表示した多孔シートの裏面に、絵、文字などからなる意匠を透明に表示した透明シートを重ね、該透明性シートの裏面側に発光手段を配置したことを特徴としているから、平時には多孔シートの表裏の明るさの差により表側の意匠のみが強調されて見えるのみ、多孔の「孔」を透しては裏面の意匠は見えないが、前記発光手段の発光時には多孔シートの表側の意匠の中に、多孔の「孔」を透して透明シートに透明表示された裏面の意匠が現れる。したがって、絵、文字などからなる１つの意匠の中に、突如として絵、文字などからなる他の意匠を重ねて表示できるという意外性の高い看板装置が得られるという優れた効果を奏するものである。
【００２０】
また、請求項２に記載の発明に係る看板装置は、前記多孔シートが裏面を黒色に着色したものであることを特徴としているから、前記発光手段の発光時に、多孔の「孔」を透して現出する多孔シートの裏面の意匠の反射が抑えられ、現出意匠として、より鮮明度の高いシャープなものになるという優れた効果を奏するものである。
【図面の簡単な説明】
【図１】本願装置の一部切欠斜視図である。
【図２】多孔シート、透明シート及び発光手段の重なり状態を略示的に表した分解斜視図である。
【図３】多孔シート、透明シート及び発光手段の重なり状態を示す部分拡大断面図である。
【図４】表面の意匠のみが見えている多孔シートの部分拡大正面図である。
【図５】表面の意匠の中に多孔の孔から裏側の意匠も見えている多孔シートの部分拡大正面図である。
【符号の説明】
１  本願看板装置
２  多孔シート
２′  多孔の孔
３  透明シート
４  発光手段
５  多孔シートに表示した意匠
６  透明シートに表示した意匠
７  人感センサー
Ａ  透視窓
Ｂ  外枠
【図１】
2005043525.tif 000003
【図２】
2005043525.tif 000004
【図３】
2005043525.tif 000005
【図４】
2005043525.tif 000006
【図５】
2005043525.tif 000007